(57)【要約】【課題】レンズバリヤ装置の駆動負荷を軽減して円滑な動作を可能にする。【解決手段】開口部１０ａを画定するベース１０、ベース１０の前面１０ｂに揺動自在に支持されて開口部１０ａを開閉するバリヤ羽根２０，３０、ベース１０の後面１０ｃに回動自在に支持されて光軸方向Ｌの押圧力Ｆを回転力に変換するカム部４２を有しバリヤ羽根２０，３０を開閉駆動する駆動リング４０、バリヤ羽根２０，３０が開く方向に駆動リング４０を付勢するコイルバネ７０を備え、駆動リング４０は、カム部４２の近傍においてコイルバネ７０の一端７１を掛止する掛止片４５を有し、ベース１０は、駆動リング４０の略接線方向Ｔにコイルバネ７０を張設するようにコイルバネ７０の他端７２を掛止する掛止片１４を有する。これにより、不要な摩擦力等を軽減でき、円滑な開閉動作が得られる。【選択図】図１
2006308703.tif 000002
【特許請求の範囲】
【請求項１】
レンズの前方に配置されて開口部を画定するベースと、前記ベースの前面に揺動自在に支持されて前記開口部を開閉するバリヤ羽根と、前記ベースの後面に回動自在に支持されて光軸方向の押圧力を回転力に変換するカム部を有し前記バリヤ羽根を開閉駆動する駆動リングと、前記バリヤ羽根が開く方向に前記駆動リングを付勢するコイルバネと、を備えたレンズバリヤ装置であって、
前記駆動リングは、前記カム部の近傍において、前記コイルバネの一端を掛止する掛止片を有し、
前記ベースは、前記駆動リングの略接線方向に前記コイルバネを張設するように、前記コイルバネの他端を掛止する掛止片を有する、
ことを特徴とするレンズバリヤ装置。
【請求項２】
前記カム部は、前記コイルバネのバネ力の増加に対して、略一定の押圧力により前記駆動リングを回転させるように湾曲したカム面を有する、
ことを特徴とする請求項１記載のレンズバリヤ装置。
【請求項３】
前記バリヤ羽根は、前記ベースに対して揺動自在に支持される被支持部の近傍において、前記駆動リングの係合部が係合する被係合部を有する、
ことを特徴とする請求項１又は２に記載のレンズバリヤ装置。
【請求項４】
前記被支持部の周りには、前記バリヤ羽根を閉じ方向に付勢する捩りバネが配置され、
前記捩りバネは、その一端が直線状に形成されて前記ベースに掛止され、その他端が環状に形成されて前記バリヤ羽根に設けられたピンに外嵌して掛止されている、
ことを特徴とする請求項３記載のレンズバリヤ装置。
【請求項５】
前記バリヤ羽根は、お互いに協働して前記開口部を開閉する第１バリヤ羽根及び第２バリヤ羽根からなり、
前記駆動リングは、周方向における略二等分する位置において、前記第１バリヤ羽根の被係合部と係合する第１係合部及び前記第２バリヤ羽根の被係合部と係合する第２係合部を有し、
前記カム部及び前記コイルバネの一端を掛止する掛止片は、周方向において、前記第１係合部及び第２係合部の略中間領域に設けられている、
ことを特徴とする請求項３又は４に記載のレンズバリヤ装置。
【発明の詳細な説明】
【技術分野】
【０００１】
本発明は、デジタルスチルカメラ、デジタルビデオカメラ等のカメラのレンズを保護するレンズバリヤ装置に関し、特に、レンズの光軸方向において作用する外力で光軸回りに回転する駆動リングによりバリヤ羽根を開閉駆動するレンズバリヤ装置に関する。
【背景技術】
【０００２】
カメラにおいて、レンズの前面を開閉する従来のレンズバリヤ装置としては、最前に位置するレンズを押える押えリング、押えリングに対して回動自在に支持された駆動リング、駆動リングの前方に配置され開口部をもつベース（バリヤ支持枠）、ベースの前面において揺動自在に支持された一対のバリヤ羽根、バリヤ羽根が開く方向に駆動リングを付勢するコイルバネ、バリヤ羽根を覆うように前方に配置された開口部を有するカバー等を備えたものが知られている。
【０００３】
この装置において、駆動リングは、外周縁から光軸方向の後方に向けて延出すると共に光軸方向の押圧力を回転力に変換する直線的に傾斜したカム面をもつカム部、ベースを貫通するように光軸方向の前方に向けて突出しバリヤ羽根に係合する係合部（駆動ピン）等を備えており、カム部が光軸方向において押圧力（外力）を受けると、駆動リングが回転してバリヤ羽根が閉じ、押圧力から解放されると、コイルバネの付勢力により駆動リングが逆回転してバリヤ羽根が開くようになっている（例えば、特許文献１参照）。
【特許文献１】特開２００２−４０５１６号公報
【発明の開示】
【発明が解決しようとする課題】
【０００４】
ところで、この装置においては、ベースを境に後方に駆動リングを前方にバリヤ羽根を配置するため、カム部に作用する光軸方向の押圧力はバリヤ羽根に直接及ばない（バリヤ羽根を押圧して変形させるようなことはない）ものの、駆動リングがベースと面接触により支持されているため、その摺動抵抗が増加して駆動負荷が大きくなる。
また、バリヤ羽根が開く方向に駆動リングを付勢するコイルバネが、駆動リングの周方向に湾曲して張設されているため、そのバネ力の分力が駆動リングをラジアル方向に付勢し、ラジアル軸受けをなす押えリングと駆動リングの摺動抵抗が増加して同様に駆動負荷が大きくなる。
【０００５】
さらに、図１１（ａ），（ｂ）に示すように、駆動リング１に設けられたカム部１ａは、傾斜角度θの直線的なカム面として形成されている。したがって、押圧部材Ｐをカム部１ａに当接させて光軸方向に押圧力Ｆを及ぼし、コイルバネ２のバネ力Ｆｓに抗しつつ、駆動リング１を全開位置から全閉位置まで回転させるとき、図１１（ａ），（ｂ）及び図１２（ａ），（ｂ）に示すように、Ｆ＝ｔａｎ２θ・ｋ・Ｌｃ（ただし、θは押圧部材Ｐがカム面１ａと接する一定の角度、ｋはコイルバネ２のバネ定数、Ｌｃは押圧部材Ｐの変位量）の関係により、バネ力ＦｓがＦｓｏ〜Ｆｓｃまで増加すると、押圧力Ｆもそれに応じて０〜最大値Ｆｃまで増加させる必要がある。
それ故に、押圧部材Ｐを相対的に移動させるには大きな駆動力が必要となり、駆動源の大型化、消費電力の増加、装置の大型化等を招くことになる。
【０００６】
本発明は、上記の事情に鑑みて成されたものであり、その目的とするところは、光軸方向において作用する外力（例えば押圧力）を回転駆動力に変換する駆動リングでバリヤ羽根を開閉駆動するレンズバリヤ装置において、構造の簡略化、薄型化、小型化、低消費電力化、組付けの容易化等を図りつつ、駆動負荷を低減して円滑な開閉動作を確保できるレンズバリヤ装置を提供することにある。
【課題を解決するための手段】
【０００７】
本発明のレンズバリヤ装置は、レンズの前方に配置されて開口部を画定するベースと、ベースの前面に揺動自在に支持されて開口部を開閉するバリヤ羽根と、ベースの後面に回動自在に支持されて光軸方向の押圧力を回転力に変換するカム部を有しバリヤ羽根を開閉駆動する駆動リングと、バリヤ羽根が開く方向に駆動リングを付勢するコイルバネと、を備えたレンズバリヤ装置であって、上記駆動リングは、カム部の近傍において、コイルバネの一端を掛止する掛止片を有し、上記ベースは、駆動リングの略接線方向にコイルバネを張設するようにコイルバネの他端を掛止する掛止片を有する、ことを特徴としている。
【０００８】
この構成によれば、バリヤ羽根がベースの前面にかつ駆動リングがベースの後面にそれぞれ支持され、コイルバネは、カム部の近傍に設けられた掛止片とベースに設けられた掛止片との間で駆動リングの接線方向に張設されるため、カム部に及ぼす押圧力がバリヤ羽根に影響を及ぼすのを防止できると共に、カム部に及ぼす押圧力で駆動リングを回転させる回転駆動力とコイルバネのバネ力とが略直線状において拮抗するため、駆動リングをラジアル方向に押圧する法線荷重を解消ないしは低減でき、駆動リングを円滑に回動させるすなわちバリヤ羽根を円滑に開閉させることができる。
したがって、不要な摩擦力等が発生するのを防止ないしは抑制でき、駆動力を小さく、すなわち、駆動源の小型化、低消費電力化、装置の小型化等を達成できる。
【０００９】
上記構成において、カム部は、コイルバネのバネ力の増加に対して、略一定の押圧力により駆動リングを回転させるように湾曲したカム面を有する、構成を採用することができる。
この構成によれば、バリヤ羽根を全開位置から全閉位置まで移動させるべく、コイルバネのバネ力に抗して駆動リングを回転させる際に、コイルバネのバネ力は増加しても、略一定の押圧力を加えるだけで駆動リングを回転させることができる。したがって、駆動力を小さくでき、駆動源の小型化、低消費電力化、装置の小型化等を達成できる。
【００１０】
上記構成において、バリヤ羽根は、ベースに対して揺動自在に支持される被支持部の近傍において、駆動リングの係合部が係合する被係合部を有する、構成を採用することができる。
この構成によれば、駆動リングの係合部が、バリヤ羽根の被支持部の近傍に設けられた被係合部に係合して開閉駆動力を及ぼすため、バリヤ羽根の曲げあるいは撓み等を防止でき、バリヤ羽根を円滑に開閉駆動することができる。
【００１１】
上記構成において、被支持部の周りには、バリヤ羽根を閉じ方向に付勢する捩りバネが配置され、捩りバネは、その一端が直線状に形成されてベースに掛止され、その他端が環状に形成されてバリヤ羽根に設けられたピンに外嵌して掛止されている、構成を採用することができる。
この構成によれば、捩りバネの一端がベースに掛止され他端がバリヤ羽根のピンに外嵌により掛止されているため、捩りバネの傾き等を防止しつつ、その取付けを容易にかつ確実に行うことができる。
【００１２】
上記構成において、バリヤ羽根は、お互いに協働して開口部を開閉する第１バリヤ羽根及び第２バリヤ羽根からなり、駆動リングは、周方向における略二等分する位置において、第１バリヤ羽根の被係合部と係合する第１係合部及び第２バリヤ羽根の被係合部と係合する第２係合部を有し、カム部及びコイルバネの一端を掛止する掛止片は、周方向において、第１係合部及び第２係合部の略中間領域に設けられている、構成を採用することができる。
この構成によれば、駆動リングは、その周方向において略１８０°離れた位置にある第１係合部と第２係合部とで、それぞれ第１バリヤ羽根及び第２バリヤ羽根を開閉駆動する。この際、カム部が第１係合部及び第２係合部の略中間位置にあるため、カム部に及ぼされた押圧力は、偏ることなく均等に回転駆動力として分配され、第１バリヤ羽根及び第２バリヤ羽根を円滑に開閉駆動させることができる。
【発明の効果】
【００１３】
上記のように、本発明のレンズバリヤ装置によれば、光軸方向において作用する押圧力を回転駆動力に変換する駆動リングでバリヤ羽根を開閉駆動するレンズバリヤ装置において、構造の簡略化、薄型化、小型化、低消費電力化、組付けの容易化等を達成しつつ、駆動負荷を低減して、円滑な開閉動作を確保することができる。
【発明を実施するための最良の形態】
【００１４】
以下、本発明の最良の実施形態について、添付図面を参照しつつ説明する。
図１ないし図１０は、本発明に係るレンズバリヤ装置の一実施形態を示すものであり、図１は装置の分解斜視図、図２は装置の後方斜視図、図３は装置の後面図、図４及び図５は駆動リング及びバリヤ羽根の関係を示す前面図及び後面図、図６はバリヤ羽根及び捩りバネを示す斜視図、図７及び図８は駆動リングのカム部の作用を説明する図、図９及び図１０はバリヤ羽根が全開位置及び全閉位置にある状態を示す後方斜視図である。
【００１５】
このレンズバリヤ装置は、図１ないし図３に示すように、開口部１０ａを画定するベース１０、ベース１０に対して揺動自在に設けられたバリヤ羽根としての第１バリヤ羽根２０及び第２バリヤ羽根３０、第１バリヤ羽根２０及び第２バリヤ羽根３０を開閉駆動する駆動リング４０、第１バリヤ羽根２０及び第２バリヤ羽根３０を覆うようにベース１０に連結されると共に開口部５０ａを画定するカバー５０、第１バリヤ羽根２０及び第２バリヤ羽根３０を閉じ方向に付勢する２つの捩りバネ６０、第１バリヤ羽根２０及び第２バリヤ羽根３０を開き方向に駆動するように駆動リング４０を付勢するコイルバネ７０等を備えている。
【００１６】
ベース１０は、樹脂材料を用いて、図１ないし図３に示すように、円形状の開口部１０ａを画定するように環状に形成されており、前面１０ｂにおいて第１バリヤ羽根２０及び第２バリヤ羽根３０を揺動自在に支持する２つの支軸１１、捩りバネ６０の一端６１を掛止する掛止片１２、後面１０ｃにおいて，開口部１０ａの内周面を画定すると共に光軸方向Ｌの後方に向けて突出する円筒部１３、円筒部１３に設けられバヨネット形式により駆動リング４０の抜け落ちを規制する４つの規制片１３ａ、コイルバネ７０の他端７２を掛止する掛止片１４、支軸１１の近傍に開けられた貫通孔１５等を備えている。
【００１７】
また、ベース１０は、カバー５０を位置決めするためのピン１６、レンズ鏡筒等への取付けの際に用いる孔１７、カバー５０をスナップフィットにより連結するための突起１８等を備えている。
ここで、ベース１０は、前面１０ｂで第１バリヤ羽根２０及び第２バリヤ羽根３０を揺動自在に支持し、後面１０ｃで駆動リング４０を回動自在に支持するため、駆動リング４０（の後述するカム部４２）に及ぼす光軸方向Ｌの押圧力Ｆは、ベース１０の後面１０ｃが直接受け止めて、第１バリヤ羽根２０及び第２バリヤ羽根３０までは及ばず、その変形あるいは撓み等を防止できる。
【００１８】
第１バリヤ羽根２０及び第２バリヤ羽根３０は、樹脂材料により薄板状に又は薄板状の金属板により形成されており、図１、図４ないし図６に示すように、ベース１０の支軸１１が通されて揺動自在に支持される被支持部２１，３１、被支持部２１の近傍において平行に突出して形成され駆動リング４０の第１係合部４３，第２係合部４４と係合する被係合部２２，３２、被支持部２１，３１の近傍において平行に突出して形成され捩りバネ６０の他端６２が外嵌して掛止されるピン２３，３３等を備えている。
ここで、被係合部２２，３２は、ベース１０に対して揺動自在に支持される被支持部２１，３１の近傍に形成されているため、駆動リング４０の第１係合部４３及び第２係合部４４が被係合部２２，３２に係合して開閉駆動力を及ぼす際に、曲げモーメント等が加わらず、第１バリヤ羽根２０及び第２バリヤ羽根３０の曲げあるいは撓み等を防止でき、円滑な開閉動作が可能になる。
【００１９】
駆動リング４０は、樹脂材料により形成されており、図１ないし図３に示すように、ベース１０の後面１０ｃ及び円筒部１３の外周面に対して摺動自在に支持されるべく環状に形成された環状部４１、環状部４１から光軸方向Ｌの後方に向けて突出するカム部４２、環状部４１から光軸方向の前方に突出し第１バリヤ羽根２０及び第２バリヤ羽根３０の被係合部２２，３２に係合する第１係合部４３及び第２係合部４４、コイルバネ７０の一端７１を掛止する掛止片４５、ベース１０へ組付けた状態で規制片１３ａにより抜け落ちが規制される４つの被規制部４６等を備えている。
【００２０】
カム部４２は、このレンズバリヤ装置が、例えば、カメラのレンズ鏡筒の先端に取り付けられた場合、レンズ鏡筒の沈胴動作に伴って、カメラ側に設けられた押圧部材Ｐがカム面４２ａに係合するようになっている。
すなわち、カム部４２に対して、光軸方向Ｌの前方に向かう押圧力（外力）Ｆが加わると、その押圧力Ｆがカム面４２ａのカム作用を介して、駆動リング４０を光軸Ｌ回りに回転させる回転駆動力Ｆｒに変換され、駆動リング４０がコイルバネ７０のバネ力Ｆｓに抗して、光軸Ｌ回りに回転するようになっている。
【００２１】
ここで、カム部４２とコイルバネ７０の一端７１を掛止する掛止片４５とは、図１ないし図３に示すように、駆動リング４０の周方向において近傍に配置されている。また、コイルバネ７０の他端７２を掛止する掛止片１４は、図３に示すように、コイルバネ７０の一端７１及び他端７２を掛止した状態で、コイルバネ７０が駆動リング４０の略接線方向Ｔに張設される位置に設けられている。
これにより、図３に示すように、カム部４２に及ぼす光軸方向Ｌの押圧力Ｆで生じる駆動リング４０の回転駆動力Ｆｒとコイルバネ７０のバネ力Ｆｓとが略直線状において拮抗するため、駆動リング４０をラジアル方向の内側に押圧する法線荷重Ｆｎを極力小さくできる。したがって、駆動リング４０を円滑に回動させることができ、それ故に、第１バリヤ羽根２０及び第２バリヤ羽根３０を円滑に開閉させることができ、不要な摩擦力等が発生するのを防止ないしは抑制でき、駆動力を小さく、すなわち、駆動源の小型化、低消費電力化、装置の小型化等を達成できる。
【００２２】
また、カム部４２は、コイルバネ７０のバネ力Ｆｓの増加に対して、略一定の押圧力Ｆにより駆動リング４０を回転させるように押圧部材Ｐ側に凸となる湾曲したカム面４２ａを有する。
すなわち、押圧部材Ｐをカム部４２のカム面４２ａに当接させて光軸方向Ｌに押圧力Ｆを及ぼし、コイルバネ７０のバネ力Ｆｓに抗しつつ、駆動リング４０を全開位置（押圧部材Ｐがカム面４２ａと接する角度θｏ）から全閉位置（押圧部材Ｐがカム面４２ａと接する角度θｃ）まで回転させるとき、図７（ａ），（ｂ）及び図８（ａ），（ｂ）に示すように、Ｆ＝ｔａｎ２θ・ｋ・Ｌｃ（ただし、θは押圧部材Ｐが移動中にカム面４２ａと接すると共にθｏからθｃに向けて徐々に小さくなる角度、ｋはコイルバネ７０のバネ定数、Ｌｃは押圧部材Ｐの変位量）の関係により、バネ力ＦｓがＦｓｏ〜Ｆｓｃまで増加しても、押圧力Ｆとしては略一定の押圧力Ｆｃを加えるだけで駆動リング４０を回転させることができる。したがって、駆動力を小さくでき、駆動源の小型化、低消費電力化、装置の小型化等を達成できる。
【００２３】
さらに、駆動リング４０においては、図１、図４、図５に示すように、周方向の略二等分する位置において、第１バリヤ羽根２０の被係合部２２と係合する第１係合部４３及び第２バリヤ羽根３０の被係合部３２と係合する第２係合部４４が設けられ、かつ、カム部４２及びコイルバネ７０の一端７１を掛止する掛止片４５が、周方向において第１係合部４３及び第２係合部４４の略中間領域に設けられている。
これによれば、カム部４２に及ぼされた押圧力Ｆにより、略１８０°離れた位置にある第１係合部４３と第２係合部４４を介して第１バリヤ羽根２０及び第２バリヤ羽根３０を開閉駆動する際に、カム部４２に及ぼされた押圧力Ｆは、偏ることなく均等に回転駆動力Ｆｒとして分配され、第１バリヤ羽根２０及び第２バリヤ羽根３０を円滑に開閉駆動させることができる。
【００２４】
コイルバネ７０は、第１バリヤ羽根２０及び第２バリヤ羽根３０が開く方向に駆動リング４０を付勢するものであり、前述の図３に示すように、一端７１が駆動リング４０の掛止片４５に掛止され、他端７２がベース１０の掛止片１４に掛止されることにより、駆動リング４０に接触することなく、駆動リング４０の接線方向Ｔにのみ引張力を及ぼすものである。
【００２５】
捩りバネ６０は、第１バリヤ羽根２０及び第２バリヤ羽根３０を閉じ方向に付勢するものであり、コイルバネ７０の付勢力よりも小さい付勢力を生じるように形成されている。  また、捩りバネ６０は、図１、図５及び図６に示すように、その一端６１が直線状に形成されてベース１０の掛止片１２に掛止され、その他端６２が環状に形成されて第１バリヤ羽根２０及び第２バリヤ羽根３０に設けられたピン２３，３３に外嵌して掛止されている。
したがって、第１バリヤ羽根２０及び第２バリヤ羽根３０が開閉動作を行っても、特に他端６２がピン２３，３３に対して外嵌により掛止されているため、確実に掛止されて脱落等が防止され、それ故に、捩りバネ６０の傾き等も防止され、又、その取付けも容易にかつ確実に行うことができる。
【００２６】
カバー５０は、図１に示すように、樹脂材料により円板状に形成されており、その中央部に略矩形状の開口部５０ａ、外周縁から光軸方向Ｌの後方に向けて延出しベース１０の突起１８にスナップフィットされる掛止片５１、ベース１０のピン１６を通す２つの位置決め孔５２、レンズ鏡筒等への取付けの際に用いる孔５３等を備えている。そして、カバー５０は、ベース１０と協働して第１バリヤ羽根２０及び第２バリヤ羽根３０を収容する羽根室を画定する。
【００２７】
次に、この装置の動作について、図９及び図１０を参照しつつ説明する。先ず、駆動リング４０のカム部４２が、図９に示すように、カメラ側の押圧部材Ｐ等から押圧力を受けない状態においては、駆動リング４０はコイルバネ７０により付勢されて時計回りの回転端に位置する。このとき、第１バリヤ羽根２０及び第２バリヤ羽根３０は、その被係合部２２，３２が、捩りバネ６０の付勢力に抗しつつ、駆動リング４０の第１係合部４３及び第２係合部４４により押されて、カバー５０の開口部５０ａを全開する全開位置に位置している。
【００２８】
この状態から、駆動リング４０のカム部４２がカメラ側の押圧部材Ｐ等により押圧力Ｆを受けて、駆動リング４０がコイルバネ７０の付勢力に抗しつつ、所定角度だけ反時計回りに回転すると、駆動リング４０の第１係合部４３及び第２係合部４４は、第１バリヤ羽根２０及び第２バリヤ羽根３０の被係合部２２，３２から後退すると同時に、捩りバネ６０の付勢力により、第１バリヤ羽根２０及び第２バリヤ羽根３０はそれぞれ回転して閉じ動作を行う。
この閉じ動作において、前述のようにコイルバネ７０のバネ力Ｆｓは増加しても、略一定の押圧力Ｆ（Ｆｃ）を加えるだけで駆動リング４０を回転させることができるため、駆動力を発生する駆動源（モータ等）を小さくでき、低消費電力化、装置の小型化等を達成できる。
【００２９】
上記実施形態においては、バリヤ羽根として２枚のバリヤ羽根２０，３０を示したが、これに限定されるものではなく、１枚あるいは３枚以上のバリヤ羽根において本発明の構成を採用してもよい。
【産業上の利用可能性】
【００３０】
以上述べたように、本発明に係るレンズバリヤ装置は、レンズの前面に配置されてレンズを保護するものであれば、沈胴式のレンズ鏡筒を備えるカメラに限らず、その他のデジタルスチルカメラ、デジタルビデオカメラ、銀塩フィルム式カメラ等においても使用することができる。
【図面の簡単な説明】
【００３１】
【図１】本発明に係るレンズバリヤ装置の一実施形態を示す分解斜視図である。
【図２】図１に示すレンズバリヤ装置の後方斜視図である。
【図３】図１に示すレンズバリヤ装置の後面図である。
【図４】レンズバリヤ装置の一部をなすバリヤ羽根と駆動リングとの関係を示す前面図である。
【図５】レンズバリヤ装置の一部をなすバリヤ羽根と駆動リングとの関係を示す後面図である。
【図６】（ａ），（ｂ）は、バリヤ羽根と捩りバネとの関係を示す斜視図である。
【図７】レンズバリヤ装置の一部をなす駆動リングのカム部の作用を説明するものであり、（ａ）は駆動リングが全開位置にある状態での力関係を示す模式図、（ｂ）は駆動リングが全閉位置にある状態での力関係を示す模式図である。
【図８】レンズバリヤ装置の一部をなす駆動リングのカム部及びコイルバネの作用を説明するものであり、（ａ）はコイルバネの伸び量に対するバネ力の変化を示す図、（ｂ）は駆動リングの回転量に対するカム部の押圧力の変化を示す図である。
【図９】バリヤ羽根が開口部を開いた状態を示す後方斜視図である。
【図１０】バリヤ羽根が開口部を閉じた状態を示す後方斜視図である。
【図１１】従来のレンズバリヤ装置において、駆動リングのカム部の作用を説明するものであり、（ａ）は駆動リングが全開位置にある状態での力関係を示す模式図、（ｂ）は駆動リングが全閉位置にある状態での力関係を示す模式図である。
【図１２】従来のレンズバリヤ装置において、駆動リングのカム部及びコイルバネの作用を説明するものであり、（ａ）はコイルバネの伸び量に対するバネ力の変化を示す図、（ｂ）は駆動リングの回転量に対するカム部の押圧力の変化を示す図である。
【符号の説明】
【００３２】
１０  ベース
１０ａ  開口部
１０ｂ  前面
１０ｃ  後面
１１  支軸
１２掛止片
１３  円筒部
１４  掛止片（コイルバネの他端を掛止する掛止片）
１５  貫通孔
２０  第１バリヤ羽根
２１  被支持部
２２  被係合部
２３  ピン
３０  第２バリヤ羽根
３１  被支持部
３２  被係合部
３３  ピン
４０  駆動リング
４１  環状部
４２  カム部
４２ａ  カム面
４３  第１係合部
４４  第２係合部
４５  掛止片（コイルバネの一端を掛止する掛止片）
５０  カバー
５０ａ  開口部
６０  捩りバネ
６１  一端
６２  他端
７０  コイルバネ
７１  一端
７２  他端
Ｌ  光軸方向
Ｐ  押圧部材
Ｆ  押圧力
Ｆｓ  コイルバネのバネ力
Ｆｒ  回転駆動力
Ｔ  駆動リングの接線方向
【図１】
2006308703.tif 000003
【図２】
2006308703.tif 000004
【図３】
2006308703.tif 000005
【図４】
2006308703.tif 000006
【図５】
2006308703.tif 000007
【図６】
2006308703.tif 000008
【図７】
2006308703.tif 000009
【図８】
2006308703.tif 000010
【図９】
2006308703.tif 000011
【図１０】
2006308703.tif 000012
【図１１】
2006308703.tif 000013
【図１２】
2006308703.tif 000014